(57)【特許請求の範囲】
【請求項１】
録画した番組を蓄積する番組蓄積部と、
電子番組表等を利用してユーザが番組録画の予約を行うための通常予約部と、
直近のニュース番組のみを繰返し録画予約する繰返予約部と、
通常予約部での予約に基づき番組を録画する通常録画部と、
繰返予約部での予約に基づきニュース番組を繰返し上書き録画する繰返録画部と、
録画されている番組のリストを表示するリスト表示部と、
リストに表示されている番組のユーザ選択に基づきこれを再生する通常再生部と、
繰返録画部で録画された直近ニュース番組をワンアクションで再生するためのワンアクションボタンを有するニュース専用再生部と、
異なるテレビ放送種別用の複数の受信チューナと、
一の受信チューナが、前記繰返の録画予約時刻にその他の番組を受信しているか否か判断する視聴可能判断部と、
前記判断結果が受信しているとの判断結果である場合には、他方の受信チューナにてニュースを受信可能か検索する検索部と、
他方の受信チューナにて受信可能との検索結果である場合には、そのニュース番組を替わりに録画する代替録画部と、
を有する録画再生装置。
【請求項２】
リスト表示部は、前記リストに含まれる直近ニュース番組に対するデータ管理命令を受付けるＵＩを、当該リストに関連付けて表示するデータ管理命令受付ＵＩ表示手段をさらに有する請求項１に記載の録画再生装置。
【請求項３】
リスト表示部は、前記リスト中の直近ニュース番組を他の録画番組と区別可能に表示する区別表示手段をさらに有する請求項１または２に記載の録画再生装置。
【請求項４】
繰返予約部は、
チャンネル、番組名、出演者、番組時間長、放送時刻、または／および天気予報除外指定のいずれか一以上を繰返し録画予約のための指定条件として受付ける条件受付手段と、
受付けた指定条件に基づいて電子番組表から繰返し録画予約する番組を抽出する番組抽出手段と、
を有する請求項１から３のいずれか一に記載の録画再生装置。
【請求項５】
前記条件受付手段は、２以上のチャンネルを指定条件として受付ける請求項４に記載の録画再生装置。
【請求項６】
前記条件受付手段は、１つのチャンネルのみを指定条件として受付ける請求項４に記載の録画再生装置。
【請求項７】
繰返予約部は、所定数のニュース番組を一の繰返録画の単位として録画予約するまとめ予約手段を有し、
繰返録画部は、前記一の録画単位の繰返録画に関しては、同一の単位内のニュース番組による上書録画を行わないまとめ繰返録画手段を有する請求項１から６のいずれか一に記載の録画再生装置。
【請求項８】
繰返予約部は、
チューナ非稼働時に直近のニュース番組を電子番組表から検索する検索手段と、
検索手段により検索されたニュース番組の繰返予約をメモリの予約情報領域に書込む書込手段と、
ユーザからのワンアクションボタン以外からの操作入力に応じて予約情報メモリのニュース番組の録画予約情報を消去する繰返予約消去手段と、
を有する請求項１から７のいずれか一に記載の録画再生装置。
【請求項９】
繰返予約部は、繰返録画部が録画実行中には繰返予約消去手段を無効にする繰返予約非消去手段を有する請求項８に記載の録画再生装置。
【請求項１０】
通常再生部による番組再生をレジューム制御するレジューム制御部と、
番組再生がワンアクションボタンからの再生命令によるニュース専用再生部での直近ニュース再生である場合には番組開始位置から再生するように制御する開始位置制御部と、
を有する請求項１から９のいずれか一に記載の録画再生装置。
【請求項１１】
番組蓄積部に蓄積されている番組のうち繰返録画部により録画された直近のニュース番組がすでに視聴されているか、いまだに視聴されていないかを判断する視聴判断部と、
視聴判断部での判断結果を報知する視聴判断結果報知部と、
をさらに有する請求項１から１０のいずれか一に記載の録画再生装置。
【請求項１２】
ニュース専用再生部で再生される番組の放送日時情報を取得する放送日時情報取得部と、
取得した放送日時情報をニュース専用再生部で直近のニュース番組を再生する際に画面に重畳表示する放送日時情報表示部と、
をさらに有する請求項１から１１のいずれか一に記載の録画再生装置。
【請求項１３】
録画した番組を蓄積する番組蓄積部と、異なるテレビ放送種別用の複数の受信チューナと、を有する録画再生装置の制御方法であって、
電子番組表等を利用してユーザから受付けた番組録画の予約を行う通常予約ステップと、
直近のニュース番組のみを繰返し録画予約する繰返予約ステップと、
通常予約ステップでの予約に基づき番組を録画する通常録画ステップと、
繰返予約ステップでの予約に基づきニュース番組を繰返し上書き録画する繰返録画ステップと、
録画されている番組のリストを表示するリスト表示ステップと、
リストに表示されている番組のユーザ選択に基づきこれを再生する通常再生ステップと、
繰返録画ステップで録画された直近ニュース番組をワンアクションで再生するためのワンアクションボタンの操作を受付け、直近ニュース番組を再生するニュース専用再生ステップと、
一の受信チューナが、前記繰返の録画予約時刻にその他の番組を受信しているか否か判断する視聴可能判断ステップと、
前記判断結果が受信しているとの判断結果である場合には、他方の受信チューナにてニュースを受信可能か検索する検索ステップと、
他方の受信チューナにて受信可能との検索結果である場合には、そのニュース番組を替わりに録画する代替録画ステップと、
を計算機に実行させる録画再生装置の制御方法。
【請求項１４】
繰返予約ステップは、
チューナ非稼働時に直近のニュース番組を電子番組表から検索する検索ステップと、
検索ステップにより検索されたニュース番組の繰返予約をメモリの予約情報領域に書込む書込ステップと、
ユーザからのワンアクションボタン以外からの操作入力に応じて予約情報メモリのニュース番組の録画予約情報を消去する繰返予約消去ステップと、
を含む請求項１３に記載の録画再生装置の制御方法。
【請求項１５】
繰返予約ステップは、繰返録画ステップにて録画実行中には繰返予約消去ステップを無効にする繰返予約非消去ステップを含む請求項１４に記載の録画再生装置の制御方法。
【請求項１６】
通常再生ステップによる番組再生をレジューム制御するレジューム制御ステップと、
番組再生がワンアクションボタンからの再生命令によるニュース専用再生ステップでの直近ニュース再生である場合には番組開始位置から再生するように制御する開始位置制御ステップと、
をさらに計算機に実行させる請求項１３から１５のいずれか一に記載の録画再生装置の制御方法。
【請求項１７】
番組蓄積部に蓄積されている番組のうち繰返録画ステップにより録画された直近のニュース番組がすでに視聴されているか、いまだに視聴されていないかを判断する視聴判断ステップと、
視聴判断ステップでの判断結果を報知する視聴判断結果報知ステップと、
をさらに計算機に実行させる請求項１３から１６のいずれか一に記載の録画再生装置の制御方法。
【請求項１８】
ニュース専用再生ステップで再生される番組の放送日時情報を取得する放送日時情報取得ステップと、
取得した放送日時情報をニュース専用再生ステップで直近のニュース番組を再生する際に画面に重畳表示する放送日時情報表示ステップと、
をさらに計算機に実行させる請求項１３から１７のいずれか一に記載の録画再生装置の制御方法。
【発明の詳細な説明】
【技術分野】
【０００１】
本発明は、ニュース番組を効率的に視聴するためのユーザインターフェースの技術に関する。
【背景技術】
【０００２】
従来、放送番組を録画し、後日に視聴可能とする録画再生装置が提供されている。特に、昨今のＨＤＤ（ハードディスクドライブ）やフラッシュメモリなど記憶媒体の記憶容量の増大と低価格化にともない、録画再生装置には数多くの番組を録画し保存することができるようになっている。また特許文献１には、記憶媒体を効率的に利用してさらに多くの番組を録画可能とするため以下のような技術が開示されている。すなわち、ニュース番組などは、一般的にその番組価値が情報鮮度に依存するため、古いニュース番組よりも新しい直近のニュース番組のほうが録画視聴する価値が高い。そこで、特許文献１の記録再生装置では、新しいニュース番組を古いニュース番組への上書きによって録画する機能を備えることでＨＤＤの記録領域を効率的に利用しつつ、最新のニュースをユーザが視聴できるよう構成されている。
【先行技術文献】
【特許文献】
【０００３】
【特許文献１】特開平０８−３２９５５８号公報
【発明の概要】
【発明が解決しようとする課題】
【０００４】
しかし従来の記録再生装置においては、上記機能によって上書録画された最新のニュース番組であっても、通常録画されたその他の番組コンテンツと同列にファイル管理システムによって管理される。したがって、最新のニュース番組を視聴しようとユーザが考えた場合、他の番組コンテンツと同様に、例えば録画リストの中からその最新ニュース番組を選択するなどの必要がある。
【０００５】
しかし数多くの番組を録画し録画リスト中のコンテンツの数が膨大になりすぎている場合などには、せっかく最新のニュース番組を逐次更新し上書録画しているのに、当該ニュース番組の視聴選択操作に手間がかかってしまう、という課題がある。そのため結局当該ニュース番組が視聴されない、などの事態が生じてしまう可能性もある。
【課題を解決するための手段】
【０００６】
以上の課題を解決するために、本発明は、繰返し上書録画される直近のニュース番組と、通常録画される番組コンテンツとを、ファイル管理システム上で区別して管理する構成をとる。そして、そのような構成をとることで、直近のニュース番組に対してはワンアクションで再生指示操作を行うことを可能とするユーザインターフェースボタンを備える録画再生装置を提供する。またこの録画再生装置は、上記のようにワンアクションで簡単に直近のニュース番組を再生可能としつつ、当該直近のニュース番組を、前記録画リストにおいても他の録画コンテンツと同列に表示する機能をさらに備えることを特徴とする。
【０００７】
具体的には、録画した番組を蓄積する番組蓄積部と、電子番組表等を利用してユーザが番組録画の予約を行うための通常予約部と、直近のニュース番組のみを繰返し録画予約する繰返予約部と、通常予約部での予約に基づき番組を録画する通常録画部と、繰返予約部での予約に基づきニュース番組を繰返し上書き録画する繰返録画部と、録画されている番組のリストを表示するリスト表示部と、リストに表示されている番組のユーザ選択に基づきこれを再生する通常再生部と、繰返録画部で録画された直近ニュース番組をワンアクションで再生するためのワンアクションボタンを有するニュース専用再生部と、からなる録画再生装置である。
【０００８】
また、録画リストにおいても他の録画コンテンツと同列に直近のニュース番組を表示することで、ワンアクションで再生可能な直近のニュース番組に関しても、録画リストを利用して他の録画コンテンツと同様に編集や削除、保護などの管理を行う機能を備える録画再生装置なども提供する。
【発明の効果】
【０００９】
以上のような構成をとる本発明によって、繰返しの上書録画によって逐次更新され情報鮮度が保たれている直近のニュース番組を、ユーザはワンアクションのボタン操作によって手間をかけずに再生視聴することができる。またさらに、そのようにワンアクションで簡単に再生可能な直近のニュース番組を、他の録画コンテンツと同列に録画リストにおいても表示することもできる。したがって例えば直近のニュース番組に関しても、録画リス他の録画コンテンツと同様に録画リストを利用して編集や削除、保護などの管理を行うことができる。
【図面の簡単な説明】
【００１０】
【図１】実施例１の録画再生装置における操作用の入力デバイスの一例などを表す図
【図２】実施例１の録画再生装置における機能ブロックの一例を表す図
【図３】実施例１の録画再生装置の番組蓄積部における録画番組蓄積の一例を表す概念図
【図４】実施例１の録画再生装置の繰返予約部における繰返予約の一例を表す概念図
【図５】実施例１の録画再生装置の繰返予約部に係るＧＵＩ画面の一例を表す図
【図６】実施例１の録画再生装置の通常予約部及び繰返予約部出の予約に基づき生成される予約リストの一例を表す図
【図７】実施例１の録画再生装置のリスト表示部にて表示されるリストの表示画面の一例を表す図
【図８】実施例１の録画再生装置に備えられたワンアクションボタンによる直近ニュース再生の一例を表す概念図
【図９】実施例１の録画再生装置におけるハードウェア構成の一例を表す図
【図１０】実施例１の録画再生装置における処理の流れの一例を表すフローチャート
【図１１】実施例１の録画再生装置における処理の流れの一例を表すフローチャート
【図１２】実施例２の録画再生装置における特徴点を説明するための概念図
【図１３】実施例２の録画再生装置における機能ブロックの一例を表す図
【図１４】実施例２の録画再生装置における一定時間を確保した上での予約録画実行処理を説明するための図
【図１５】実施例２の録画再生装置における処理の流れの一例を表すフローチャート
【図１６】実施例３の録画再生装置における機能ブロックの一例を表す図
【図１７】実施例３の録画再生装置における処理の流れの一例を表すフローチャート
【図１８】実施例４の録画再生装置における機能ブロックの一例を表す図
【図１９】実施例４の録画再生装置のレジューム制御部に係るテーブルデータの一例を表す図
【図２０】実施例４の録画再生装置における処理の流れの一例を表すフローチャート
【図２１】実施例４の録画再生装置における処理の流れの一例を表すフローチャート
【図２２】実施例４の録画再生装置による未視聴ニュース番組がある旨の報知の一例を表す図
【図２３】実施例５の録画再生装置における機能ブロックの一例を表す図
【図２４】実施例５の録画再生装置における処理の流れの一例を表すフローチャート
【図２５】実施例６の録画再生装置において繰返し上書録画されたニュース番組を再生した際の表示画面の一例を表す図
【図２６】実施例６の録画再生装置における機能ブロックの一例を表す図
【図２７】実施例６の録画再生装置における処理の流れの一例を表すフローチャート
【図２８】実施例７の録画再生装置における機能ブロックの一例を表す図
【図２９】実施例７の録画再生装置のデータ管理命令受付ＵＩ表示手段により表示されるＧＵＩの一例を表す図
【図３０】実施例７の録画再生装置における処理の流れの一例を表すフローチャート
【図３１】実施例８の録画再生装置における機能ブロックの一例を表す図
【図３２】実施例８の録画再生装置における処理の流れの一例を表すフローチャート
【図３３】実施例９の録画再生装置における機能ブロックの一例を表す図
【図３４】実施例９の録画再生装置における処理の流れの一例を表すフローチャート
【発明を実施するための形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、８、１４について説明する。また、実施例２は、主に請求項９、１５について説明する。また、実施例３は、主に請求項１０、１６について説明する。また、実施例４は、主に請求項１１、１７について説明する。また、実施例５は、主に請求項１２、１８について説明する。また、実施例６は、主に請求項１３、１９について説明する。
【００１２】
また、実施例７は、主に請求項２、３について説明する。また、実施例８は、主に請求項４、５、６について説明する。また、実施例９は、主に請求項７について説明する。
【００１３】
≪実施例１≫
<概要>
図１は、本実施例の録画再生装置における操作用の入力デバイスの一例、および当該入力デバイスによる録画番組再生の一例を説明するための図である。この図１にあるように、本実施例の録画再生装置はリモコン装置によって操作することができる。ここでリモコン装置上の「録画リスト」ボタンαを押すと、図１（ａ）にあるようにＨＤＤなどに繰返し上書録画された直近のニュース番組、および通常録画されたその他の番組のサムネイルなどをリスト表示する録画リストが表示される。そして、ユーザはその録画リストのサムネイルをリモコン装置の方向キーや決定ボタンを操作する事で所望の録画番組を選択し、再生視聴することができる。
【００１４】
また一方で、リモコン装置上の「ニュース・天気」ボタンβを押すと、図１（ｂ）にあるように、そのワンアクションの操作に応じて繰返し上書録画された直近のニュース番組がすぐに再生される、という具合である。このように本実施例の録画再生装置では、ボタンのワンアクション操作に応じて簡単に直近のニュース番組を再生することができることを特徴とする。
【００１５】
<機能的構成>
図２は、本実施例の録画再生装置における機能ブロックの一例を表す図である。この図にあるように本実施例の「録画再生装置」（０２００）は、「番組蓄積部」（０２０１）と、「通常予約部」（０２０２）と、「繰返予約部」（０２０３）と、「通常録画部」（０２０４）と、「繰返録画部」（０２０５）と、「リスト表示部」（０２０６）と、「通常再生部」（０２０７）と、「ニュース専用再生部」（０２０８）と、を有する。
【００１６】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記録装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザインターフェース用アプリケーションなどが挙げられる。
【００１７】
そして主メモリ上に展開したプログラムに従ったＣＰＵの演算処理によって、入力デバイスやその他インターフェースなどから入力されメモリやハードディスク上に保持されているデータなどが加工、蓄積されたり、上記各ハードウェアやソフトウェアを制御するための命令が生成されたりする。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１８】
「番組蓄積部」（０２０１）は、録画した番組を蓄積する機能を有し、例えば、ＨＤＤや不揮発性メモリ、次世代記録メディア及びその書込装置、その他の二次記録装置などによって実現することができる。そしてこの番組蓄積部では例えばファイル管理システムなどによって、繰返し上書録画される直近のニュース番組と、通常録画される番組コンテンツとを分けて管理することを特徴とする。
【００１９】
図３は、本実施例の番組蓄積部における録画番組蓄積の一例を表す概念図である。この図にあるように、番組蓄積部である例えばＨＤＤを内のアドレス空間のうち例えば「００００ｘｘｘｘ」から「４０００ｘｘｘ１」を直近のニュース番組を繰返し上書録画する領域αとして管理している。また、さらに「４０００ｘｘｘ２」から「ｆｆｆｆｘｘｘｘ」のアドレス空間を、その他の通常の録画（追記録画）領域βとして管理している、という具合である。そして、このように両者をファイル管理上区別して管理することで、後述する構成要件の作用に応じて、直近のニュース番組が記録されている領域に対してワンアクションで再生指示操作を行うことが可能となる。
【００２０】
なお上記構成のほかに、番組蓄積部は例えば物理的に複数の記録装置からなり、両者を一のファイル管理システムによって管理する構成として実現しても良い。なお図３では本実施例の特徴を概念的に分かりやすく説明するために両者を録画する記録装置上のアドレス空間を明確に分けて記載しているが、もちろん実際の録画アドレスはアドレスの空き具合に応じて分散していてもよく、ファイル管理システム上で「繰返し上書録画される直近ニュース番組」と「その他の録画番組コンテンツ」とが区別して管理されていれば良い。
【００２１】
「通常予約部」（０２０２）は、電子番組表等を利用してユーザが番組録画の予約を行うための機能を有し、入力デバイスやＧＵＩ（グラフィカルユーザインターフェース）、通常予約プログラムや予約内容を記憶するフラッシュメモリなどによって実現することができる。なお、通常予約部における番組録画の予約処理は従来のものと同様であるので説明は省略する。また、通常予約は電子番組表等を利用するものの他に、ユーザがウィザード画面などのＧＵＩを介し入力した番組開始／終了時間や放送チャンネルなどの情報を利用したものであってももちろん良い。
【００２２】
「繰返予約部」（０２０３）は、直近のニュース番組のみを繰返し録画予約する機能を有し、ＣＰＵなどの演算装置や繰返予約プログラム、予約内容を記憶するフラッシュメモリなどによって実現することができる。具体的に繰返予約部は、例えば図４に示すように受信放送波や内蔵時計から現在時刻を取得する。そしてその時刻情報を基準として電子番組表を参照し、現在時刻後に放送予定の天気予報を含むニュース番組のうち、直近の番組をＣＰＵの演算処理によって特定する。そして当該番組の録画予約用情報（番組の開始／終了時間、放送チャンネルなど）を取得し、取得した録画予約用情報を使って自動で録画予約処理を実行する。またその自動録画予約による録画処理が終了すると、上記同様に現在時刻から電子番組表を検索し、特定された放送予定の直近ニュース番組の録画予約処理を繰返す、という具合である。
【００２３】
またこの繰返予約部では、繰返し録画予約するための電子番組表検索処理に関し、ユーザから条件指定入力を受付けるよう構成しても良い。図５は、その検索の条件指定入力のためのＧＵＩ画面の一例を表す図である。この図５（ａ）にあるように、例えばウィザード形式の設定モードにおいて、本実施例の直近ニュース番組の繰返し上書録画処理機能を使用するか否かを指定する。そして「使用する」旨の指定入力があると、今度は図５（ｂ）に示すように、繰返し自動録画するチャンネルの指定入力を受付ける、という具合である。このようにして、番組編成上一貫性があると思われる所望の一のチャンネルで放送される最新のニュース番組のみを録画し視聴することができる。もちろん、ここでユーザにより指定される検索条件はチャンネル以外の条件、たとえば「放送時間が１６分以上である」「天気予報番組はニュース番組としない」などであっても良い。また、これら条件はユーザ入力で設定されるのではなく、装置の出荷前などに予め設定されているなどしても良い。
【００２４】
そして、この繰返予約部および前述の通常予約部による予約処理によって、例えば図６に示すような、繰返予約αと、その他の通常予約とが含まれる録画処理の予約リストが生成され、その予約リストで示される録画処理が以下の構成要件により実行されることになる。
【００２５】
「通常録画部」（０２０４）は、通常予約部での予約に基づき番組を録画する機能を有し、チューナや書込み装置、通常録画プログラム、また場合によってデコーダ／エンコーダなどによって実現することができる。なお、この通常予約に基づく通常録画処理は従来の予約録画処理と同様である。したがって通常録画部で録画された番組コンテンツは、従来の録画同様に記録装置の容量が許すなどの限り追記形式で録画されることになる。なお、通常の予約録画以外にも録画ボタン押下などによる直接録画処理も追記形式で記録装置に録画されると良い。そしてファイル管理システム上では、ここで録画された番組コンテンツが「通常録画された番組コンテンツ」として後述の繰返録画される直近ニュース番組と区別して管理される、という具合である。
【００２６】
「繰返録画部」（０２０５）は、繰返予約部での予約に基づきニュース番組を繰返し上書き録画する機能を有し、例えばチューナや書込み装置、繰返録画プログラム、また場合によってデコーダ／エンコーダなどによって実現することができる。具体的に、繰返録画部では、繰返予約に基づいてＨＤＤなどの記録媒体へのニュース番組の録画処理を実行する。ただし、その録画処理が１つ前に録画されたニュース番組データへの上書処理によって録画されることを特徴とする。つまり、この繰返録画部において録画された映像データは直近のもののみしか保存されないので、常に一の記録アドレス（群）がファイル管理システムなどで管理されることになる。したがって後述するボタンのワンアクション操作によって、当該一のアドレス（群）に記録されている直近ニュース番組を特定し、簡単に再生できる、という具合である。
【００２７】
なお繰返しの上書録画には、番組データを同じ記録アドレスに書込むことで直接上書する態様のほかに、例えば直近のニュース番組のアドレスＡへの録画処理と共に、別のアドレスＢに格納されている１つ前に録画したニュース番組を消去する処理を行うなどの態様も含まれる。
【００２８】
「リスト表示部」（０２０６）は、録画されている番組のリストを表示する機能を有し、例えばＣＰＵなどの演算装置やディスプレイ装置、リスト表示プログラムなどで実現することができる。具体的に、番組蓄積部に蓄積されている番組コンテンツのヘッダ情報などからタイトルやサムネイルを取得し、所定のテンプレートにしたがって当該タイトルやサムネイルをリスト化した表示画面データを生成する。そして生成した表示画面データをＶＲＡＭなどに転送しディスプレイに表示する、という具合である。
【００２９】
図７は、本実施例のリスト表示部にて表示されるリストの表示画面の一例を表す図である。この図７（ａ）にあるように、例えば番組蓄積部にて蓄積されている番組コンテンツのサムネイルが並べて表示されている。そして、カーソルαを操作することで再生を所望するコンテンツを選択する、という具合である。また、リスト中の繰返し録画による直近ニュース番組については例えば「自動」アイコンβをコンテンツタイトル横に付すなどしてその旨を明示するようにしても良い。また、図７（ｂ）に示すようにリスト中の繰返し録画による直近ニュース番組については、破線で示す所定の領域β内に必ず表示するよう構成しても良い。
【００３０】
なお番組蓄積部には通常録画による番組コンテンツと、繰返録画による直近ニュース番組とが蓄積されているため、この図７に示すようにリスト表示部にて表示されるリストは両者をまとめてリスト化したものとなる。そして、このように本実施例では録画コンテンツのリストにおいて他の録画コンテンツと同列に直近のニュース番組を表示することを特徴とする。このような構成を有することで、本実施例の録画再生装置は、例えば実施例７で後述するように、ワンアクションで再生可能な直近のニュース番組に関しても当該リストを利用して他の録画コンテンツと同様に編集や削除、保護などの管理を行うこともできる。
【００３１】
「通常再生部」（０２０７）は、リストに表示されている番組のユーザ選択に基づきこれを再生する機能を有し、例えば入力デバイスやＧＵＩ、デコーダやディスプレイ、通常再生プログラムなどによって実現することができる。具体的に通常再生部は、図７の録画リスト中のカーソルを、入力デバイスを介したユーザ操作に応じて移動する。そして決定ボタン押下時にカーソルの合っていたリスト中の動画コンテンツＩＤを取得し、当該ＩＤで特定されるコンテンツの映像データをデコーダにて処理し、ディスプレイにて再生表示する、という具合である。
【００３２】
このように本実施例では通常の録画再生装置と同様にＨＤＤなどに蓄積されている多くの番組コンテンツをリスト選択によって再生することができる。そして、本実施例ではさらに次の構成によって、繰返し録画されている直近ニュース番組については、上記のような何段階かの操作手順（リスト表示、コンテンツ選択、再生決定など）を踏む必要がなく、ワンアクションにて再生することができる機能をさらに備えることを特徴とする。
【００３３】
「ニュース専用再生部」（０２０８）は、繰返録画部で録画された直近ニュース番組をワンアクションで再生する機能を有し、そのためのワンアクションボタンを有することを特徴とする。具体的に、このニュース専用再生部では、所定ボタンの操作に応じて、例えばファイル管理システムを参照し、通常の録画番組コンテンツとは区別して管理されている直近ニュース番組の記録アドレスを特定する。そして、その記録アドレスに記録されている直近ニュース番組のデータをデコーダに出力し、ディスプレイにて再生表示する、という具合である。
【００３４】
図８は、このワンアクションボタンによる直近ニュース再生の一例を表す概念図である。この図にあるように、例えばリモコン装置上に設けられたワンアクションボタンαを押下することで、上記のような処理が本実施例の録画再生装置にて実行され、ディスプレイにて直近に録画された情報鮮度の高いニュース番組が再生される、という具合である。
【００３５】
なおワンアクションボタンは、上記例のようにリモコン装置に設けられる形態の他、例えば録画再生装置本体の操作パネルなどに設けられていても良い。また、物理的なボタンのみならず、ディスプレイ上にバーチャルボタンとして表示するなどの構成であっても良い。さらにワンアクションボタンは、それ専用のボタンとして設けられる形態のほか、例えば汎用ボタンを長押ししたり二度押ししたりすることなどで当該機能が実現されるよう構成しても良い。
【００３６】
以上のように本実施例の録画再生装置によって、繰返しの上書録画によって逐次更新され情報鮮度が保たれている直近のニュース番組を、ユーザはワンアクションのボタン操作によって簡単に再生視聴することができる。
【００３７】
<その他の機能的構成>
また、本実施例の録画再生装置では、例えばＡ、Ｂ各放送局の直近ニュース番組αとβを比較するためにまとめて視聴したいなどのニーズに対応して、２つ以上のニュース番組を「一の繰返録画の単位」として繰返録画の予約処理を行う機能をさらに備えていても良い。具体的にこの予約による録画処理においては、ニュースαの録画後に放送されるニュースβを直近ニュース番組として録画する際に、前述のようにニュースαへの上書き録画でニュースβを録画するのではなく、ニュースαも残してニュースβを録画する。そして、次のニュースγを、ニュースα又は／及びニュースβへの上書き録画として処理する、という具合である。
【００３８】
そして上記機能を実現するため、本実施例の録画再生装置は、その繰返予約部が「まとめ予約手段」を有し、繰返録画部が「まとめ繰返録画手段」をさらに有すると良い。
【００３９】
「まとめ予約手段」は、所定数のニュース番組を一の繰返録画の単位として録画予約する機能を有し、例えばＣＰＵや主メモリ、フラッシュメモリ、まとめ予約プログラムなどによって実現することができる。具体的には、例えばＧＵＩを介してユーザからまとめ予約する所定数「２」などの入力を受付ける。すると、繰返予約部は、現在時刻から直近のニュース番組２つについて録画予約データを生成しフラッシュメモリなどに格納する。そしてさらに、その２つの録画予約データに同じまとめ単位であることを示すフラグ情報などを付加すること、一方が他方の上書き録画とならないよう、通常の繰返の録画予約データと区別して管理する、という具合である。
【００４０】
「まとめ繰返録画手段」は、前記一の録画単位の繰返録画に関しては、同一の単位内のニュース番組による上書録画を行わない機能を有し、例えばＣＰＵや主メモリ、チューナや書込み装置、まとめ繰返録画プログラムなどによって実現することができる。具体的には、例えば録画予約データ内に上記まとめ単位であることを示すフラグがあれば、そのニュースαを録画した際に、その録画データに当該フラグを付加して記録する。そして、次の録画予約データを参照した際、同じまとめ単位を示すフラグが含まれていれば、ＣＰＵは前に録画したニュースαを残して、次のニュースβの録画処理を実行する、という具合である。
【００４１】
また、上記のように一の単位として複数の直近ニュース番組を録画している際の、ワンアクションボタンによるニュース番組の再生方法については以下のような方法が挙げられる。すなわち、例えば１回のボタン押下で複数のニュース番組を連続再生するように構成したり、ボタンを押す回数に応じてトグル的に再生するニュース番組を切り換えるよう構成したり、押込む時間の長さに応じて３つのニュース番組の中から再生するものを選択できるよう構成したりする方法が挙げられる。
【００４２】
<ハードウェア構成>
図９は、上記機能的な各構成要件をハードウェアとして実現した際の、録画再生装置における構成の一例を表す概略図である。この図を利用してワンアクションボタンによるニュース番組再生をはじめとする各録画コンテンツの再生処理におけるそれぞれのハードウェア構成部の働きについて説明する。
【００４３】
この図にあるように、録画再生装置は、通常予約部、繰返予約部、通常録画部、繰返録画部、通常再生部、およびニュース専用再生部の機能を実現し、またその他の各種演算処理を実行する「ＣＰＵ（中央演算装置）」（０９０１）と、「主メモリ」（０９０２）と、を備えている。また番組蓄積部である「ＨＤＤ」（０９０３）や、リスト表示部である「ディスプレイ装置」（０９０４）も備えている。また、ユーザからの操作入力を受付ける「リモコン」及びリモコン信号の「受光部」（０９０５）や、電子番組表や通常予約や繰返予約のリスト（タイムスケジューラ機能を含む）などを格納する「フラッシュメモリ」（０９０６）、また図示していない「放送受信チューナ」や「インターネット接続回路」なども備えていると良い。そしてそれらが「システムバス」などのデータ通信経路によって相互に接続され、情報の送受信や処理を行う。
【００４４】
また、「主メモリ」にはプログラムが読み出され、「ＣＰＵ」は読み出された当該プログラムを参照することで各種演算処理を実行する。また、この「主メモリ」や「フラッシュメモリ」、「ＨＤＤ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００４５】
ここで、電源投入などをトリガーとして、通常予約プログラム、繰返予約プログラム、通常録画プログラム、繰返録画プログラム、リスト表示プログラム、通常再生プログラム、ニュース専用再生プログラム、が「主メモリ」の所定領域に読み出される。つづいて、例えば「リモコン」での録画予約ボタン押下を示す信号を「受光部」にて受信し復調すると、当該信号受信をトリガーとして「ＣＰＵ」が通常予約プログラムを解釈する。そして当該プログラムの解釈結果にしたがって「フラッシュメモリ」のアドレスＡに格納されている電子番組表データを読み出し、「ディスプレイ装置」にて表示する。
【００４６】
ユーザはディスプレイ上に表示された電子番組表に対して操作を行い、録画を所望する番組にカーソルを合わせて「リモコン」の決定ボタンを押下などする。すると、当該リモコン信号が「受光部」にて受信、復調され、通常予約プログラムに従う「ＣＰＵ」の演算処理などによって録画予約用情報（番組の開始／終了時間、放送チャンネルなど）が生成される。そして、その録画予約用情報を「フラッシュメモリ」のアドレスＢに格納されている予約リストに書込むことで通常予約処理を行う。
【００４７】
また、「ＣＰＵ」は繰返予約プログラムを解釈し、その解釈結果にしたがって以下のように自動的な繰返しの上書録画のための予約処理を実行する。すなわち、例えば図示しない「チューナ」にて受信したデジタル放送波に含まれる現在時刻情報を取得する。続いて「フラッシュメモリ」に格納されている電子番組表を参照し、現在時刻以降の放送番組の中から、そのジャンルが「ニュース／天気予報」で示される番組、かつ現在時刻に最も近い時刻に放送される番組をＣＰＵの演算処理によって特定する。そして、特定された番組について、通常予約処理同様に電子番組表からその録画予約用情報を取得し、「フラッシュメモリ」の予約リストに書込むことで繰返予約処理を行う。
【００４８】
その後、「フラッシュメモリ」に格納されている予約リスト（タスクスケジューラプログラムと連動するよう構成）を参照し、内蔵時計が予約リストに書込まれている録画開始時刻になったことを「ＣＰＵ」などにて検知すると、その予約が通常予約であれば通常録画プログラムにしたがって、例えば「ＨＤＤ」のアドレスＣやアドレスＤを記録開始位置として「チューナ」にて受信した番組の通常の追記型での録画処理が実行される。
【００４９】
一方、実行すべき予約が繰返予約であれば、繰返録画プログラムにしたがって以下のような繰返しの上書録画処理が実行される。すなわち、ファイル管理システムを参照し、一つ前の直近ニュース番組が記録されている「ＨＤＤ」のアドレスＢを特定する。そして、そのアドレスＢに対して上書記録することで、最新のニュース番組の上書録画処理を実行する。また、上書記録された最新のニュース番組の記録アドレスをファイル管理システムで更新管理する。このようにして、本実施例の録画再生装置では、通常予約に従い追記型で「ＨＤＤ」などに複数の番組コンテンツが記録され、またその一方で繰返予約に従い上書で一の直近ニュース番組が「ＨＤＤ」などに記録されることになる。また、このようにして「ＨＤＤ」に記録されている番組コンテンツのタグ情報などから取得したタイトルやサムネイルを利用して、録画リストを「ＣＰＵ」の演算処理によって生成し、「ＨＤＤ」のアドレスＡに格納する。
【００５０】
その後、ユーザによる録画リストボタン押下を示すリモコン信号を「受光部」にて受信、復調すると、それをトリガーとして「ＣＰＵ」はリスト表示プログラムを解釈する。そしてその解釈結果にしたがって「ＨＤＤ」のアドレスＡに格納されている録画リストを読み出し、「ディスプレイ」にて表示する。そしてユーザはディスプレイ上に表示された録画リストに対して操作を行い、再生を所望する番組にカーソルを合わせて「リモコン」の決定ボタンを押下などする。すると、当該リモコン信号が「受光部」にて受信、復調され、「主メモリ」のアドレス３にリスト選択命令として格納される。そして通常再生プログラムに従って、リスト選択命令で示される録画番組のコンテンツＩＤが取得され、当該ＩＤで特定されるコンテンツの映像データが「ＨＤＤ」から読み出される。そして図示しない「デコーダ」の処理を介してリスト選択された番組コンテンツが「ディスプレイ」に再生出力される。
【００５１】
一方、ユーザによってリモコン装置の「ニュース／天気」ボタン（ワンアクションボタン）が押下されると、当該リモコン信号が「受光部」にて受信、復調される。そしてその復調されたワンアクション命令が「主メモリ」のアドレス４に格納される。すると、そのワンアクション命令の格納をトリガーとして、「ＣＰＵ」はニュース専用再生プログラムを解釈し、その解釈結果にしたがって、ファイル管理システムなどで示される繰返しの上書録画によって録画されている直近のニュース番組の記録アドレスＢを特定する。そして、当該アドレスに記録されている直近ニュース番組の映像データが「ＨＤＤ」から読み出され、図示しない「デコーダ」の処理を介して「ディスプレイ」に再生出力される、という具合である
【００５２】
<処理の流れ>
図１０及び図１１は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図１０にあるように、まず通常予約処理として、ユーザから操作命令を受付けるなどすると、ユーザから受付けた番組の録画予約処理を実行する（ステップＳ１００１）。また、繰返予約処理として、例えば電子番組表を検索するなどして直近のニュース番組のみを繰返し録画予約する（ステップＳ１００２）。そして、ステップＳ１００１の通常予約に基づき番組録画を行い、番組蓄積部に当該録画番組コンテンツを記録する（ステップＳ１００３）。また、ステップＳ１００２の繰返予約に基づき、ニュース番組を繰返し上書録画し（ステップＳ１００４）、番組蓄積部に当該直近のニュース番組を記録する（ステップＳ１００４）。
【００５３】
その後、図１１（ａ）にあるように、入力デバイスなどを利用してリスト表示操作を受付ける（ステップＳ１１０１ａ）と、図７に示すような録画されている番組のリストをディスプレイに表示する（ステップＳ１１０２ａ）。そして、リストに表示されている番組のユーザ選択を受付ける（ステップＳ１１０３ａ）と、選択を受付けた録画番組を再生する（ステップＳ１１０４ａ）。一方、図１１（ｂ）にあるように、例えばリモコン装置に設けられたワンアクションボタン操作を受付ける（ステップＳ１１０１ｂ）と、上書録画されている直近のニュース番組を再生する（ステップＳ１１０２ｂ）。
【００５４】
<効果の簡単な説明>
以上のように本実施例の録画再生装置によって、繰返しの上書録画によって逐次更新され情報鮮度が保たれている直近のニュース番組を、ユーザはワンアクションのボタン操作によって簡単に再生視聴することができる。またさらに、そのようにワンアクションで簡単に再生可能な直近のニュース番組を、他の録画コンテンツと同列に録画リストにおいても表示することもできる。
【００５５】
≪実施例２≫
<概要>
図１２は、本実施例の録画再生装置における特徴点を説明するための概念図である。この図にあるように、例えば電源がＯＦＦ状態（チューナが非稼動の状態）の録画再生装置において、ユーザからの「電源ＯＮ」操作などを受付ける。すると、そこにユーザがいる、すなわちユーザが録画再生装置に対する各種操作を行う可能性がある、あるいはニュース番組を録画せずに直接視聴する可能性がある、と想定することができる。そこで本実施例の録画再生装置では、例えば図に示すように「操作を受付けましたので、本日２０：００に予約（繰返予約）していた"ニュース０８"の自動録画を中止いたしました」といったメッセージを表示し、ニュース番組の繰返し上書録画のための「繰返予約」を消去することを特徴とする。
【００５６】
<機能的構成>
図１３は、本実施例の録画再生装置における機能ブロックの一例を表す図である。この図にあるように、本実施例の「録画再生装置」（１３００）は、実施例１を基本として、「番組蓄積部」（１３０１）と、「通常予約部」（１３０２）と、「繰返予約部」（１３０３）と、「通常録画部」（１３０４）と、「繰返録画部」（１３０５）と、「リスト表示部」（１３０６）と、「通常再生部」（１３０７）と、「ニュース専用再生部」（１３０８）と、を有する。なお、これら構成要件は、上記実施例にてすでに記載済みであるのでその説明は省略する。そして、本実施例の録画再生装置の特徴点は、繰返予約部が「検索手段」（１３０９）と、「書込手段」（１３１０）と、「繰返予約消去手段」（１３１１）と、を有する点である。
【００５７】
「検索手段」（１３０９）は、チューナ非稼働時に直近のニュース番組を電子番組表から検索する機能を有する。ここで「チューナ非稼動時」とは、チューナで受信している放送波を取り出すための周波数（チャンネル）指定の受付が行われていない状態をいう。すなわちチューナが非稼動であれば、ユーザが番組視聴のためのチャンネル選択を行っていない、と想定できる。したがってそのような状態においては、ユーザはその場におらずニュースを直接視聴する可能性が低い。そこで本実施例の録画再生装置では繰返しの直近ニュース録画処理を実行するため、上記実施例にて説明したような現在時刻を基準とする電子番組表からのニュース番組検索処理を実行する、という具合である。
【００５８】
「書込手段」（１３１０）は、検索手段により検索されたニュース番組の繰返予約をメモリの予約情報領域に書込む機能を有する。そして、このように書込手段により繰返予約がメモリの予約情報領域に書込まれることで、図６に示すような予約リストが生成され、それにしたがった直近ニュース番組の繰返録画処理が実行される、という具合である。しかし本実施例では前述のようにユーザからの操作受付によりユーザがその場にいるなどと想定し、以下の構成によってこの繰返録画のための予約処理を消去することを特徴とする。
【００５９】
「繰返予約消去手段」（１３１１）は、ユーザからのワンアクションボタン以外からの操作入力に応じて予約情報メモリのニュース番組の録画予約情報を消去する機能を有する。このように、本実施例ではユーザからの操作入力などを受付けると、そこにユーザがいる、すなわちユーザが録画再生装置に対する各種操作を行う可能性がある、あるいは直近のニュース番組を録画せずに直接視聴する可能性がある、と想定してそのニュース番組の繰返録画予約を消去する、という具合である。
【００６０】
なお、通常の録画再生装置はシステム起動やシステム構築のために時間が必要であるため、繰返しの自動録画開始前の一定時間（マージン）を確保する必要がある。あるいは、録画番組の頭切れ録画を防ぐため数秒前から余裕を持って録画を開始するなどの構成をとっている場合もある。そこで、この繰返予約消去手段においては、自動録画開始として指定された時刻の例えば３０秒前以内にユーザからのワンアクションボタン以外の操作入力を受付けた場合、すでに録画の準備は実行中であるとしてその繰返予約を消去しないよう構成しても良い。
【００６１】
図１４は、この一定時間を確保した上での予約録画実行処理を説明するための図である。この図１４（ａ）にあるように、予約が連続していない単一予約の場合、例えば予約の録画開始時刻の１２０秒前にディスプレイに「あと２分で予約番組（の録画）を開始します」とのメッセージを表示する。そして３０秒前になると「まもなく番組予約を開始します。」とのメッセージを表示するとともに、予約準備期間（システム起動や構築のためのマージン期間。あるいは頭切れ録画防止のためのマージン時間）になっているとして、ユーザからの操作を受付けないよう制限する。したがって、この時間帯にユーザがリモコン操作等を行ったとしても前記予約の消去は実行されない、という具合である。
【００６２】
そして、録画開始７秒前になると、予約リストにしたがってチューナの自動選局処理を実行し、頭切れ防止のため３秒前から録画を開始する。そして録画終了時間になると録画処理を終了するとともに、記録アドレスの管理などのファイル（管理）システムの更新処理を実行する。
【００６３】
また図１４（ｂ）にあるように、予約が連続している場合、最初の予約１の開始に関しては上記単一予約と同様の処理が実行され録画処理を行う。そして録画終了の例えば１０秒前に、次の予約２の録画処理を開始するため、記録アドレスの管理など予約１の録画に伴うファイル（管理）システムの更新処理を実行し、つづいて次の予約２のための選局処理を実行し録画を開始する。そしてこの時間帯においても前記同様ユーザがリモコン操作等を行ったとしても予約２の消去は実行されない、という具合である。
【００６４】
<処理の流れ>
図１５は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。この図にあるように、まず、チューナが非稼動か否かを判断する（ステップＳ１５０１）。そしてチューナが非稼動状態であるとの判断結果が出力された場合、ユーザがその場にいないと想定されるため、以下のようにしてニュースの繰返し上書録画のための予約処理が実行される。すなわち、まず現在時刻を取得し（ステップＳ１５０２）、その現在時刻を基準として電子番組表から直近のニュース番組を検索する（ステップＳ１５０３）。そして検索されたニュース番組の繰返予約をメモリの予約情報領域に書込む（ステップＳ１５０４）。そしてユーザからのワンアクションボタン以外の操作を受付ける（ステップＳ１５０５）と、ここでユーザがその場にいると想定し、ステップＳ１５０４で書込まれた予約情報メモリのニュース番組の録画予約情報を消去する（ステップＳ１５０５）。
【００６５】
<効果の簡単な説明>
以上のように本実施例の録画再生装置によって、ユーザ操作の受付けによってユーザがその場にいるなどと想定される場合に、繰返し自動録画の予約を消去して、ユーザの操作利便性を向上させることができる。
【００６６】
≪実施例３≫
<概要>
本実施例は、上記実施例２を基本として、さらにニュース番組の繰返しの上書録画処理が実行中である場合には、その予約消去を無効として録画処理を続行することを特徴とする録画再生装置である。
【００６７】
<機能的構成>
図１６は、本実施例の録画再生装置における機能ブロックの一例を表す図である。この図にあるように、本実施例の「録画再生装置」（１６００）は、実施例２を基本として、「番組蓄積部」（１６０１）と、「通常予約部」（１６０２）と、「繰返予約部」（１６０３）と、「通常録画部」（１６０４）と、「繰返録画部」（１６０５）と、「リスト表示部」（１６０６）と、「通常再生部」（１６０７）と、「ニュース専用再生部」（１６０８）と、「検索手段」（１６０９）と、「書込手段」（１６１０）と、「繰返予約消去手段」（１６１１）と、を有する。なお、これら構成要件は上記実施例にてすでに記載済みであるのでその説明は省略する。そして、本実施例の録画再生装置の特徴点は、繰返予約部が「繰返予約非消去手段」（１６１２）をさらに有する点である。
【００６８】
「繰返予約非消去手段」（１６１２）は、繰返録画部が録画実行中には繰返予約消去手段を無効にする機能を有する。このようにして、ニュース番組の繰返しの上書録画処理がすでに実行中である場合には、その予約消去を無効として録画処理を続行することで、ユーザが見逃していると思われるニュース番組冒頭を含む一連のニュースなどを完全に録画しユーザに視聴させることができる。なお本実施例では、例えば特別なキャンセル用ボタンをさらに設けるなどして、このように録画実行中であっても予約を消去し録画が中断されるよう構成しても良い。
【００６９】
<処理の流れ>
図１７は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。この図にあるように、まず、チューナが非稼動か否かを判断する（ステップＳ１７０１）。そしてチューナが非稼動状態であるとの判断結果が出力された場合、現在時刻を取得し（ステップＳ１７０２）、その現在時刻を基準として電子番組表から直近のニュース番組を検索する（ステップＳ１７０３）。そして検索されたニュース番組の繰返予約をメモリの予約情報領域に書込む（ステップＳ１７０４）。その後、予約で示される開始時刻前、すなわち予約されたニュース番組の録画前（ステップＳ１７０５）にユーザからのワンアクションボタン以外の操作を受付ける（ステップＳ１７０６）と、ステップＳ１７０４で書込まれた予約情報メモリのニュース番組の録画予約情報を消去する（ステップＳ１７０６）。また、予約で示される開始時間が来てニュース番組の繰返しの上書録画が実行されると、ユーザからの操作受付有無に関らず、予約の消去処理は実行しない、という具合である。
【００７０】
<効果の簡単な説明>
以上のように本実施例の録画再生装置によって、ニュース番組の繰返しの上書録画処理がすでに実行中である場合には、その予約消去を無効として録画処理を続行する。したがってユーザが見逃していると思われるニュース番組冒頭を含む一連のニュースなどを完全に録画しユーザに視聴させることができる。
【００７１】
≪実施例４≫
<概要>
本実施例は、上記実施例を基本として、通常予約により録画された番組コンテンツの再生に際しては、いわゆる「レジューム再生」（前回の途中終了時点から再生）を行う。また一方で繰返予約により上書録画された直近のニュース番組の再生に際しては「頭出し再生」（前回途中終了の有無に関らずにコンテンツ最初から再生）を行うことを特徴とする録画再生装置である。
【００７２】
<機能的構成>
図１８は、本実施例の録画再生装置における機能ブロックの一例を表す図である。この図にあるように、本実施例の「録画再生装置」（１８００）は、実施例１を基本として、「番組蓄積部」（１８０１）と、「通常予約部」（１８０２）と、「繰返予約部」（１８０３）と、「通常録画部」（１８０４）と、「繰返録画部」（１８０５）と、「リスト表示部」（１８０６）と、「通常再生部」（１８０７）と、「ニュース専用再生部」（１８０８）と、を有する。また、実施例２や３を基本として上記その他の構成を有していても良い。なお、これら構成要件は、上記実施例にてすでに記載済みであるのでその説明は省略する。そして、本実施例の特徴点は、録画再生装置が「レジューム制御部」（１８０９）と、「開始位置制御部」（１８１０）と、をさらに有する点である。
【００７３】
「レジューム制御部」（１８０９）は、通常再生部による番組再生をレジューム制御する機能を有し、例えばＣＰＵなどの演算装置やレジューム制御プログラムによって実現することができる。具体的に、このレジューム制御部では、コンテンツを再生し終了処理を実行した際に、その終了位置を特定するための情報（再生時間や再生フレーム数など）を取得する。そしてその位置情報をレジューム位置としてコンテンツごとに関連付けた図１９に示すようなテーブルデータをフラッシュメモリに保持する。そして、通常再生部による通常録画コンテンツの再生においては、当該テーブルデータを参照し、それで示される前回終了位置からの再生を実行する、という具合である。
【００７４】
「開始位置制御部」（１８１０）は、番組再生がワンアクションボタンからの再生命令によるニュース専用再生部での直近ニュース再生である場合には番組開始位置から再生するように制御する機能を有し、例えばＣＰＵなどの演算装置や開始位置制御プログラムによって実現することができる。このように制御することで、ニュースを最初から何度も見返して、その内容などをよく理解することができるようになる。
【００７５】
<処理の流れ>
図２０及び図２１は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、図２０ではレジューム制御に係る特徴的な処理フローを説明する。また図２１では開始位置制御に係る特徴的な処理フローを説明する。
【００７６】
まず通常録画された番組コンテンツの再生の場合には、図２０にあるように、入力デバイスなどを利用してリスト表示操作を受付ける（ステップＳ２００１）と、図７に示すような録画されている番組のリストをディスプレイに表示する（ステップＳ２００２）。そして、リストに表示されている番組のユーザ選択を受付ける（ステップＳ２００３）と、その録画番組が前回途中再生であったか図１９に示すテーブルデータなどを参照して判断する（ステップＳ２００４）。そして判断の結果、途中再生であって前回の途中終了の位置情報を取得した（ステップＳ２００５Ｙ）場合には、前回終了位置を再生開始位置に設定する（ステップＳ２００６Ｙ）。またステップＳ２００４での判断の結果、途中再生では無かった場合には、番組開始位置を再生開始位置に設定する（ステップＳ２００５Ｎ）。そして、その設定された再生開始位置からの番組再生を実行する（ステップＳ２００７）。
【００７７】
一方、繰返録画されたニュース番組の再生の場合には、図２１にあるように、例えばリモコン装置に設けられたワンアクションボタン操作を受付ける（ステップＳ２１０１）と、上書録画されている直近のニュース番組を、必ず番組開始位置から再生する（ステップＳ２１０２）。
【００７８】
<効果の簡単な説明>
以上のように本実施例の録画再生装置によって、ユーザはニュースを最初から何度も見返すことができ、その内容などをよく理解することができるようになる。
【００７９】
≪実施例５≫
<概要>
本実施例の録画再生装置は、上記実施例を基本として繰返し録画された直近ニュース番組が未視聴である場合にユーザにその旨を報知する機能を備えることを特徴とする。このようにしてユーザは未視聴の直近ニュース番組が録画済であることを知ることができる。
【００８０】
図２２は、本実施例の録画再生装置による上記報知の一例を表す図である。この図２２（ａ）にあるように、例えば未視聴の直近ニュース番組がある場合、映像表示中のディスプレイ上に「未視聴の自動録画ニュース番組があります」などと表示する。あるいは、図２２（ｂ）にあるように、録画リストの直近ニュース番組のサムネイル近辺に「未」など未視聴であることを示すアイコンを表示する、という具合である。
【００８１】
<機能的構成>
図２３は、本実施例の録画再生装置における機能ブロックの一例を表す図である。この図にあるように、本実施例の「録画再生装置」（２３００）は、実施例１を基本として、「番組蓄積部」（２３０１）と、「通常予約部」（２３０２）と、「繰返予約部」（２３０３）と、「通常録画部」（２３０４）と、「繰返録画部」（２３０５）と、「リスト表示部」（２３０６）と、「通常再生部」（２３０７）と、「ニュース専用再生部」（２３０８）と、を有する。また、実施例２や３、４を基本として上記その他の構成を有していても良い。なお、これら構成要件は、上記実施例にてすでに記載済みであるのでその説明は省略する。そして、本実施例の特徴点は、録画再生装置が「視聴判断部」（２３０９）と、「視聴判断結果報知部」（２３１０）と、をさらに有する点である。
【００８２】
「視聴判断部」（２３０９）は、番組蓄積部に蓄積されている番組のうち繰返録画部により録画された直近のニュース番組がすでに視聴されているか、いまだに視聴されていないかを判断する機能を有し、例えばＣＰＵなどの演算装置や視聴判断プログラムによって実現することができる。具体的に、例えば番組蓄積部にて蓄積されているニュース番組に関して再生処理がなされた場合に、コンテンツのタグに視聴フラグを付加したり別途テーブルデータなどを利用したりしてその視聴／未視聴を管理するよう構成する。そして繰返し録画によって蓄積されている直近ニュース番組に関して当該フラグが無いなどの場合に、そのニュース番組はいまだに視聴されていないと判断する、という具合である。
【００８３】
「視聴判断結果報知部」（２３１０）は、視聴判断部での判断結果を報知する機能を有し、例えばＣＰＵなどの演算装置、ディスプレイやスピーカなどの出力装置、視聴判断結果報知プログラムなどで実現することができる。なお、この視聴判断結果報知部における報知形態はさまざまであって良く、例えば、図２２に示すようにテキストメッセージやアイコンなどをディスプレイに表示する報知形態のほか、同様のメッセージや所定の警告音などをスピーカより出力する報知形態も挙げられる。また、本体などに設けられた所定のランプを明滅させるなどで未視聴の直近ニュース番組がある旨を報知しても良い。以上のようにして、ユーザは未視聴の直近ニュース番組が録画済であることを知ることができる。
【００８４】
<処理の流れ>  図２４は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。この図にあるように、まず繰返予約に基づき録画された直近のニュース番組が視聴済みであるか否か、例えばフラグ情報などを利用して判断する（ステップＳ２４０１）。そして、未視聴であるとの判断結果が出力された場合、録画されている直近のニュース番組が未視聴である旨をユーザに対して所定の形態にて報知する（ステップＳ２４０２）。
【００８５】
<効果の簡単な説明>
以上のように本実施例の録画再生装置によって、繰返し録画された直近ニュース番組が未視聴である場合にユーザにその旨を報知することができる。
【００８６】
≪実施例６≫
<概要>
図２５は、本実施例の録画再生装置において繰返し上書録画されたニュース番組を再生した際の表示画面の一例を表す図である。この図にあるように、本実施例の録画再生装置では繰返し録画された直近のニュース番組を再生する際に、「１８：００  １１ｃｈ  夕方ニュース首都圏版」といった具合に、そのニュースの放送日時情報αをディスプレイ上に表示することを特徴とする。このようにニュース番組の再生時にその放送日時を合わせて表示することで、ユーザはその録画された直近ニュース番組がどの時点での最新情報なのかを容易に知ることができる。
【００８７】
<機能的構成>
図２６は、本実施例の録画再生装置における機能ブロックの一例を表す図である。この図にあるように、本実施例の「録画再生装置」（２６００）は、実施例１を基本として、「番組蓄積部」（２６０１）と、「通常予約部」（２６０２）と、「繰返予約部」（２６０３）と、「通常録画部」（２６０４）と、「繰返録画部」（２６０５）と、「リスト表示部」（２６０６）と、「通常再生部」（２６０７）と、「ニュース専用再生部」（２６０８）と、を有する。また、実施例２や３、４、５を基本として上記その他の構成を有していても良い。なお、これら構成要件は、上記実施例にてすでに記載済みであるのでその説明は省略する。そして、本実施例の特徴点は、録画再生装置が「放送日時情報取得部」（２６０９）と、「放送日時情報表示部」（２６１０）と、をさらに有する点である。
【００８８】
「放送日時情報取得部」（２６０９）は、ニュース専用再生部で再生される番組の放送日時情報を取得する機能を有し、例えばＣＰＵなどの演算装置、記憶装置、放送日時情報取得プログラムなどによって実現できる。具体的に、例えばニュース番組の録画に際して、その録画日時などの情報をニュース番組と関連付けて記録装置に保持しておく。そして、放送日時情報取得部では、ニュース番組の再生に際して、その保持されている録画日時情報を放送日時情報として取得する、という具合である。また、ニュース番組がデジタル放送コンテンツであって、録画された番組ストリームのヘッダなどに放送日時情報が記録されていれば、そのヘッダなどを参照し放送日時情報を取得すると良い。また、放送日時のほかに、放送チャンネルや放送局、番組名などを取得しても良い。
【００８９】
「放送日時情報表示部」（２６１０）は、取得した放送日時情報をニュース専用再生部で直近のニュース番組を再生する際に画面に重畳表示する機能を有し、例えばＣＰＵなどの演算装置とディスプレイ装置、放送日時情報表示プログラムなどによって実現することができる。具体的に、取得した放送日時を含む各種情報をＯＳＤ（オンスクリーンディスプレイ）処理によってディスプレイ上の映像に重畳表示する、という具合である。
【００９０】
<処理の流れ>
図２７は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、例えばリモコン装置に設けられたワンアクションボタン操作を受付ける（ステップＳ２７０１）と、再生されるニュース番組の放送日時情報を取得する（ステップＳ２７０２）。つづいて、上書録画されている直近のニュース番組を再生し（ステップＳ２７０３）、それとともに取得した放送日時情報を再生しているニュース番組の画面上に重畳表示する（ステップＳ２７０４）。
【００９１】
<効果の簡単な説明>
以上のように本実施例の録画再生装置によって、ニュース番組の再生時にその放送日時を合わせて表示することができる。したがってユーザはその録画された直近ニュース番組がどの時点での最新情報なのかを容易に知ることができる。
【００９２】
≪実施例７≫
<概要>
本実施例は、上記実施例を基本として、さらにリスト表示部のリスト内にて他のコンテンツと同列に表示されている直近ニュース番組に対して、当該リスト上からダビングや削除、削除保護、シーン編集などの操作命令を受付けるＧＵＩ機能をさらに有することを特徴とする録画再生装置である。また本実施例の録画再生装置は、さらに直近ニュース番組をリスト内で容易に識別できるよう、そのリスト表示において直近ニュース番組近傍にアイコンを付加するなどの機能を有していても良い。
【００９３】
<機能的構成>
図２８は、本実施例の録画再生装置における機能ブロックの一例を表す図である。この図にあるように、本実施例の「録画再生装置」（２８００）は、実施例１を基本として、「番組蓄積部」（２８０１）と、「通常予約部」（２８０２）と、「繰返予約部」（２８０３）と、「通常録画部」（２８０４）と、「繰返録画部」（２８０５）と、「リスト表示部」（２８０６）と、「通常再生部」（２８０７）と、「ニュース専用再生部」（２８０８）と、を有する。また、実施例２から６のいずれかを基本として上記その他の構成を有していても良い。なお、これら構成要件は、上記実施例にてすでに記載済みであるのでその説明は省略する。そして、本実施例の特徴点は、録画再生装置のリスト表示部が、「データ管理命令受付ＵＩ表示手段」（２８０９）をさらに有する点である。
【００９４】
「データ管理命令受付ＵＩ表示手段」（２８０９）は、前記リストに含まれる直近ニュース番組に対するデータ管理命令を受付けるＵＩを、当該リストに関連付けて表示する機能を有し、例えばＣＰＵと主メモリなどの演算装置、ディスプレイなどの表示装置、そしてデータ管理命令受付ＵＩ表示プログラムなどで実現することができる。「データ管理命令」とは、録画された直近ニュース番組に対する管理を行うための命令をいい、例えば、繰返し録画による上書き消去からの保護の命令（消去不可命令）や、他の記録媒体へのダビング／ムーブ命令、またＣＭなどの不要シーンをカットしたり他の映像データと繋げたりするなどのシーン編集命令などが挙げられる。
【００９５】
そして本実施例では、直近ニュース番組に対するこのようなデータ管理命令を受付けるためのＧＵＩを、リスト表示部のリストに関連付けて表示することを特徴とする。具体的に、図２９（ａ）に示すように、例えばリスト内のニュース番組にカーソルを合わせて図１のリモコンの黄色ボタンを押下すると、画面が遷移して図２９（ｂ）に示すようなＧＵＩが表示される。そしてユーザは、このＧＵＩを介して、例えばダビングや上書きからの保護などのデータ管理命令を入力することができる、と言う具合である。なお、「リストに関連付けたＧＵＩの表示」とは、前記リスト画面からＧＵＩ画面への画面遷移による表示形態以外にも、例えばリスト画面内にＧＵＩ画面をポップアップして表示する形態や、ディスプレイ装置にリストを表示すると同時に、リモコンなどの遠隔操作デバイス上の表示画面にＧＵＩ画面を表示する形態なども挙げられる。
【００９６】
また本実施例の録画再生装置は以下のような機能をさらに有していても良い。すなわち、前述のように直近ニュース番組をリスト内で容易に識別できるよう、そのリスト表示において直近ニュース番組近傍にアイコンを付加するなどの機能である。そして、そのために本実施例の録画再生装置のリスト表示部は、さらに図示しない「区別表示手段」を有していても良い。
【００９７】
「区別表示手段」は、前記リスト中の直近ニュース番組を他の録画番組と区別可能に表示する機能を有し、例えばＣＰＵと主メモリなどの演算装置、ディスプレイなどの表示装置、そして区別表示プログラムなどで実現することができる。具体的に、この区別表示部では、例えばリスト中の直近ニュース番組の近傍に「Ｎ」などのアイコン／文字列を表示したり、リストの先頭などリスト中の所定位置に必ず直近ニュース番組を配置したりすることで、直近ニュース番組を他の録画番組と区別可能に表示する、という具合である。
【００９８】
このようにして、ユーザは録画リスト内にて他のコンテンツと同列に表示されている直近ニュース番組に対して、当該リスト上からダビングや削除、削除保護、シーン編集などのデータ管理命令をＧＵＩを介して入力することができる。また当該リスト中の直近ニュース番組を、アイコンなどを利用して他の録画コンテンツと容易に識別することができる。
【００９９】
<処理の流れ>
図３０は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。この図にあるように、まず、この図３０にあるように、まずユーザの録画リスト呼出操作などの入力を受付ける（ステップＳ３００１）と、通常録画された番組コンテンツと、繰返し録画された直近ニュース番組とを同列とする録画リストをディスプレイ上に表示する（ステップＳ３００２）。また図示していないが、例えばそのリスト内の直近ニュース番組近傍にアイコンなどを表示するなどして、他のコンテンツと区別可能に直近ニュース番組を表示する処理を行っても良い。そしてユーザ操作に応じて、例えばリスト画面からの画面遷移処理などを行い、データ管理命令の入力受付用ＧＵＩを表示する（ステップＳ３００３）。そして、表示した当該ＧＵＩを介してデータ管理命令の入力を受付ける（ステップＳ３００４）と、受付けた管理命令に応じて、例えば直近ニュース番組データを上書き禁止としたり他の記録媒体にダビングしたり、各種データ管理処理を実行する（ステップＳ３００５）。
【０１００】
<効果の簡単な説明>
以上のように、本実施例の録画再生装置によって、ユーザは録画リスト内にて他のコンテンツと同列に表示されている直近ニュース番組に対して、当該リスト上からダビングや削除、削除保護、シーン編集などのデータ管理命令をＧＵＩを介して入力することができる。また当該リスト中の直近ニュース番組を、アイコンなどを利用して他の録画コンテンツと容易に識別することができる。
【０１０１】
≪実施例８≫
<概要>
本実施例は、上記実施例を基本として、例えばお気に入りのニュースキャスターや解説者の出演しているニュース番組のみを繰返し録画する、という具合に、直近ニュース番組の繰返し録画に関するユーザからの指定条件を受付け、その指定条件に基づいて録画予約処理を実行する機能をさらに備える録画再生装置である。また、その他の指定条件として、チャンネルα（Ａ放送局）とチャンネルβ（Ｂ放送局）のニュース番組を繰返し録画する、という具合に、複数のチャンネルを当該指定条件とする構成も挙げられる。あるいは、逆にチャンネルγ（Ｃ放送局）のニュース番組のみ繰返し録画する、という具合に、一つのチャンネルのみを当該指定条件としても良い。
【０１０２】
<機能的構成>
図３１は、本実施例の録画再生装置における機能ブロックの一例を表す図である。この図にあるように、本実施例の「録画再生装置」（３１００）は、実施例１を基本として、「番組蓄積部」（３１０１）と、「通常予約部」（３１０２）と、「繰返予約部」（３１０３）と、「通常録画部」（３１０４）と、「繰返録画部」（３１０５）と、「リスト表示部」（３１０６）と、「通常再生部」（３１０７）と、「ニュース専用再生部」（３１０８）と、を有する。また、上記その他の実施例のいずれかを基本としてその他の構成を有していても良い。なお、これら構成要件は、上記実施例にてすでに記載済みであるのでその説明は省略する。そして、本実施例の特徴点は、録画再生装置の繰返予約部が、「条件受付手段」（３１０９）と、「番組抽出手段」（３１１０）と、をさらに有する点である。
【０１０３】
「条件受付手段」（３１０９）は、チャンネル、番組名、出演者、番組時間長、放送時刻、または／および天気予報除外指定のいずれか一以上を繰返し録画予約のための指定条件として受付ける機能を有し、ＣＰＵや主メモリ、入力デバイス、そしてＧＵＩなどを含む条件受付プログラムなどによって実現することができる。具体的に、例えば図５（ｂ）に示すようなＧＵＩを画面上に表示し、ユーザにチャンネルを選択させ、選択されたチャンネルを指定条件として受付ける。あるいは、フリースタイルで文字入力が可能な入力ボックスを含むＧＵＩを表示し、ソフトウェア／ハードウェアキーボードから当該入力ボックスに入力された番組名や出演者を指定条件として受付ける。または、電子番組表にて番組名や出演者名などを選択させてそれらを指定条件として受付けても良い。あるいは、プルダウンメニューなどで３０分以上／以下のニュース番組のみ録画といった放送番組長を指定条件として受付けても良いし、チェックボックスで「天気予報除外」をチェックさせることで天気予報除外を指定条件として受付けても良い。また、放送時刻を指定条件として受付ける場合、例えば「２１時から２２時に放送のニュースの繰返し録画は除外」といった除外指定条件とすると良い。このようにして当該指定の時間帯におけるチューナの占有を防ぎ、例えばその他の番組の視聴や録画の妨げとならないようにすることができる。
【０１０４】
また、チャンネルの指定条件に関しては、２以上のチャンネルを同時に指定条件とするよう構成しても良い。このようにして、指定の複数チャンネルの報道内容や報道傾向などを比較して直近ニュース番組を視聴することができる。あるいは逆に、１つのチャンネルのみを指定条件として受付けるよう構成しても良い。このようにして、同じ局で製作されたニュース番組であれば、例えば朝のニュースの続報が昼に報道されるという具合にその編成上一貫性のあると想定されるニュース番組を録画対象とすることができる。
【０１０５】
そして、このようにして受付けた指定条件をもとにした直近ニュースの繰返し録画予約を行うため、本実施例の録画再生装置では以下のような構成をさらに有している。
【０１０６】
「番組抽出部」（３１１０）は、受付けた指定条件に基づいて電子番組表から繰返し録画予約する番組を抽出する機能を有し、ＣＰＵや主メモリ、番組抽出プログラムなどによって実現することができる。具体的に、指定条件がチャンネルであれば、前述の繰返予約部での予約処理において、電子番組表内の指定チャンネルのみのニュース番組を対象として処理を行う、という具合である。また、番組名や出演者名であれば、電子番組表の検索用タグデータなどを参照し、条件が合致するニュース番組を特定する。また、番組時間長や放送時刻が指定条件であれば、同様に電子番組表の時間データを参照して条件が合致するニュース番組を特定する、という具合である。
【０１０７】
また、指定条件が天気予報除外指定である場合には、例えば以下のような処理を行う例が挙げられる。すなわち電子番組表では検索用タグデータとして番組の「ジャンルタグ」が設定されている場合があるが、ニュース番組の場合、それは「ニュース／天気」としてジャンル分けされている。そのため、直近ニュース番組の繰返し録画処理において天気予報のみが録画される場合もある。そこで、例えば電子番組表から取得される番組タイトルなどに「天気」を含む場合、当該番組天気予報のみで時事ニュースなどの報道は無い番組とみなし、繰返予約の対象から除外する、といった処理である。あるいは、ニュース番組内で、通常天気予報コーナーが放送される時間帯は固定的であることから、例えば１時間のニュース番組であれば４０分後に天気予報コーナーが５分間ある、や毎日１０時放送のニュースＮの天気予報コーナーの開始は１０時５５分からなどの示すテーブルデータを参照し、ニュース番組中の天気予報コーナーだけ除外するよう構成しても良い。もちろん、上記とは逆の処理によって天気予報のみを直近のニュース情報として繰返し録画するよう構成しても良い。
【０１０８】
<処理の流れ>
図３２は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。この図にあるように、まず、例えば指定条件の入力用ＧＵＩなどを表示し、ユーザから、チャンネル、番組名、出演者、番組時間長、放送時刻、または／および天気予報除外指定のいずれか一以上を繰返し録画予約のための指定条件を受付ける（ステップＳ３２０１）。その後、繰返予約処理として、例えば電子番組表を検索する際に前記指定条件を参照し、指定条件に合致する直近のニュース番組のみを繰返し録画予約する（ステップＳ３２０２）。そして、その繰返予約に基づき、ニュース番組を繰返し上書録画し（ステップＳ３２０３）、番組蓄積部に当該直近のニュース番組のみを記録する。また、もちろんこれと平行して、通常の録画予約処理や録その予約に従った通常録画処理を実行する、という具合である。
【０１０９】
<効果の簡単な説明>
以上のように、本実施例の録画再生装置によって、ユーザが所定の条件を指定して、その指定に合致する直近のニュース番組を簡単に視聴することができる。したがって、例えば、経済系の報道を中心とする直近ニュースのみ確認できる、という具合に、よりユーザビリティの高い直近ニュースを提示することができる。
【０１１０】
≪実施例９≫
<概要>
本実施例は、上記実施例を基本として以下のような機能をさらに備えることを特徴とする録画再生装置である。すなわち、例えば２２：００からのニュース番組が次に繰返録画される対象として予約されている。ところが同時刻になった時点で、本実施例の録画再生装置は他の番組を視聴／録画中であることもありうる。そこで、録画再生装置が複数チューナを有していれば、他方の空きチューナでの電子番組表を再検索する。そして当該時間帯に別のニュース番組が放送されていれば、そのニュース番組を替わりに録画（予約）を行う機能をさらに備える、という具合である。
【０１１１】
このようにして、直近のニュース番組の繰返録画をする際に、その繰返録画で利用すべきチューナが別の番組を受信中であっても、代替のニュース番組の録画処理をすることができる。
【０１１２】
<機能的構成>
図３３は、本実施例の録画再生装置における機能ブロックの一例を表す図である。この図にあるように、本実施例の「録画再生装置」（３３００）は、実施例１を基本として、「番組蓄積部」（３３０１）と、「通常予約部」（３３０２）と、「繰返予約部」（３３０３）と、「通常録画部」（３３０４）と、「繰返録画部」（３３０５）と、「リスト表示部」（３３０６）と、「通常再生部」（３３０７）と、「ニュース専用再生部」（３３０８）と、を有する。また、上記その他の実施例のいずれかを基本としてその他の構成を有していても良い。なお、これら構成要件は、上記実施例にてすでに記載済みであるのでその説明は省略する。そして、本実施例の特徴点は、この録画再生装置が、さらに「複数の受信チューナ」（３３０９）と、「視聴可能判断部」（３３１０）と、「検索部」（３３１１）と、「代替録画部」（３３１２）と、をさらに有する点である。
【０１１３】
「複数の受信チューナ」（３３０９）とは、異なるテレビ放送種別用の複数の受信チューナである。「テレビ放送種別」とは、テレビ放送波の放送経路や放送手段に応じて区別される種別をいい、例えば地上デジタル、地上アナログ、ＢＳ（ブロードキャスト・サテライト）デジタル、ＢＳアナログ、ＣＳ（コミュニケーション・サテライト）デジタル、アナログ、ケーブルテレビなどが挙げられる。そして、本実施例の録画再生装置は、このように異なる放送種別の受信チューナを複数有しているので、例えば地上デジタルチューナがある番組を受信して占有中であっても、他のＢＳデジタルチューナにて別の番組を受信することができる。
【０１１４】
「視聴可能判断部」（３３１０）は、の受信チューナが、前記繰返の録画予約時刻にその他の番組を受信しているか否か判断する機能を有し、例えばＣＰＵや主メモリ、視聴判断プログラムなどによって実現することができる。具体的には、まず、繰返予約部によってなされた直近ニュース番組の録画予約時刻と、録画する際に使用するチューナ情報を予約データの保持領域から読み出し取得する。そして、内蔵時計などにて現在時刻を監視し、現在時刻が取得した録画予約時刻になった時点で、そのチューナ情報で特定される受信チューナが現在占有中であるか判断する、という具合である。なお、ここで占有中ではないと判断されれば、そのまま繰返録画予約に従い、直近ニュース番組の繰返録画処理を実行すると良い。
【０１１５】
「検索部」（３３１１）は、前記判断結果が受信しているとの判断結果である場合には、他方の受信チューナにてニュースを受信可能か検索する機能を有し、例えばＣＰＵや主メモリ、検索プログラムなどで実現できる。具体的に、視聴判断部にて繰返録画にて利用すべき例えば地デジチューナが占有中との判断結果が出力された際には、別のＢＳチューナが占有中か否かを判断する。そしてＢＳチューナが占有中で無ければ、ＢＳ放送の電子番組表を参照し、内蔵時計から取得した現在時刻で放送中の番組を確認する。そして、「ニュース番組」とのジャンルタグが付されている番組があれば、「受信可能」との検索結果を出力する、という具合である。
【０１１６】
「代替録画部」（３３１２）は、他方の受信チューナにて受信可能との検索結果である場合には、そのニュース番組を替わりに録画する機能を有し、例えばＣＰＵや主メモリ、チューナや書込み装置、代替録画プログラムなどによって実現することができる。なお、上記検索部では、現在ニュースが放送中であるかの確認のみならず、現在時刻から所定時間（例えば２０分）内までに間でニュース番組を受信可能か、を検索するよう構成しても良い。そしてその場合、代替録画部では、そのニュース番組を録画するために代替録画予約処理を実行すると良い。
【０１１７】
このようにして、本実施例の録画再生装置では、直近のニュース番組の繰返録画をする際に、その繰返録画で利用すべきチューナが別の番組を受信中であっても、代替のニュース番組の録画処理をすることができる。
【０１１８】
<処理の流れ>
図３４は、本実施例の録画再生装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、この処理の流れでは、本実施例において特徴的なフローのみ説明する。そしてこの図３４に示す処理の前に、図１０のステップＳ１００３までに示すような処理によって、通常の番組録画予約処理（ステップＳ１００１）やそれによる通常の番組録画処理（ステップＳ１００３）、そして直近のニュース番組の繰返しの録画予約処理（ステップＳ１００２）が実行される。
【０１１９】
その後、この図３４に示すように、繰返しの録画予約処理によって指定される録画予約時刻になる（ステップＳ３４０１）と、その繰返録画にて使用すべきチューナが現在占有中であるか否か判断する（ステップＳ３４０２）。そして占有中でないとの判断結果が出力されれば、そのまま繰返しの録画予約にしたがって、直近のニュース番組の録画処理を実行する（ステップＳ３４０６）。
【０１２０】
一方、ステップＳ３４０２にてチューナが占有中であるとの判断結果が出力されれば、今度は別の放送種別のチューナが占有中であるか判断し（ステップＳ３４０３）、当該別のチューナが占有中で無ければ、そのチューナで受信される電子番組表を取得する。そして、電子番組表を参照し、ニュース番組を受信可能か検索する（ステップＳ３４０４）。そして、受信可能との検索結果が出力された場合には、当該受信可能なニュース番組を繰返し録画の対象として（代替）録画処理を行う（ステップＳ３４０５）。
【０１２１】
<効果の簡単な説明>
以上のように、本実施例の録画再生装置によって、直近のニュース番組の繰返録画をする際に、その繰返録画で利用すべきチューナが別の番組を受信中であっても、代替のニュース番組の録画処理をすることができる。
【符号の説明】
【０１２２】
０２００  録画再生装置
０２０１  番組蓄積部
０２０２  通常予約部
０２０３  繰返予約部
０２０４  通常録画部
０２０５  繰返録画部
０２０６  リスト表示部
０２０７  通常再生部
０２０８  ニュース専用再生部
【図１】
0005120897.tif 000002
【図２】
0005120897.tif 000003
【図３】
0005120897.tif 000004
【図４】
0005120897.tif 000005
【図５】
0005120897.tif 000006
【図６】
0005120897.tif 000007
【図７】
0005120897.tif 000008
【図８】
0005120897.tif 000009
【図９】
0005120897.tif 000010
【図１０】
0005120897.tif 000011
【図１１】
0005120897.tif 000012
【図１２】
0005120897.tif 000013
【図１３】
0005120897.tif 000014
【図１４】
0005120897.tif 000015
【図１５】
0005120897.tif 000016
【図１６】
0005120897.tif 000017
【図１７】
0005120897.tif 000018
【図１８】
0005120897.tif 000019
【図１９】
0005120897.tif 000020
【図２０】
0005120897.tif 000021
【図２１】
0005120897.tif 000022
【図２２】
0005120897.tif 000023
【図２３】
0005120897.tif 000024
【図２４】
0005120897.tif 000025
【図２５】
0005120897.tif 000026
【図２６】
0005120897.tif 000027
【図２７】
0005120897.tif 000028
【図２８】
0005120897.tif 000029
【図２９】
0005120897.tif 000030
【図３０】
0005120897.tif 000031
【図３１】
0005120897.tif 000032
【図３２】
0005120897.tif 000033
【図３３】
0005120897.tif 000034
【図３４】
0005120897.tif 000035